(57)【要約】【課題】  多少芯ずれが生じても用いることができるとともに、プレキャストコンクリート部材の製作コストを低減することができる接合具を提供する。【解決手段】  接合具１は、スリーブケース５と、複数個のスリーブ分割片６ａが略円筒状に配置され、スリーブケースのスリーブ収容部５ａに径方向外方に拡張可能でかつスリーブケースから抜け出し不可能に設けられているとともに、外周には各スリーブ分割片を径方向内方に付勢する付勢部材６Ｄが設けられ、内周面には係合溝６ｂが設けられているスリーブ６と、ピンケース５と、大径部１４ａと小径部１４ｂとを備え、ピンケースのピン収容部５ａに大径部が径方向に移動可能にかつピンケースから抜け出し不可能に設けられているとともに、小径部が接合面から突出し、かつ小径部の先端部にスリーブの係合溝に係合可能な突条１４ｃが形成されているピン１４とを備えている。【選択図】  図１
2006336234.tif 000002
【特許請求の範囲】
【請求項１】
プレキャストコンクリート部材同士を接合するための接合具であって、
一方のプレキャストコンクリート部材に設けられ、このプレキャストコンクリート部材の接合面側に開口しているスリーブケースと、
複数個のスリーブ分割片が略円筒状に配置され、前記スリーブケースのスリーブ収容部に径方向外方に拡張可能でかつ該スリーブケースから抜け出し不可能に設けられているとともに、外周には前記各スリーブ分割片を径方向内方に付勢する付勢部材が設けられ、内周面には係合溝が設けられているスリーブと、
他方のプレキャストコンクリート部材に設けられ、このプレキャストコンクリート部材の接合面側に開口しているピンケースと、
大径部と小径部とを備え、前記ピンケースのピン収容部に前記大径部が径方向に移動可能にかつ該ピンケースから抜け出し不可能に設けられているとともに、前記小径部が前記他方のプレキャストコンクリート部材の接合面から突出し、かつ前記小径部の先端部に前記スリーブの前記係合溝に係合可能な突条が設けられているピンと、
を備えていることを特徴とする接合具。
【請求項２】
前記スリーブケースおよび前記ピンケースの開口側にはそれぞれ、前記スリーブおよび前記ピンの前記大径部が抜け出るのを規制する筒状の蓋が螺合されていることを特徴とする請求項１に記載の接合具。
【請求項３】
前記スリーブケースと前記ピンケースとは、同一に構成されていることを特徴とする請求項１または請求項２に記載の接合具。
【請求項４】
プレキャストコンクリート部材同士を接合する接合方法であって、
一方のプレキャストコンクリート部材にその接合面側に開口しているスリーブケースを設け、このスリーブケースのスリーブ収容部に、複数個のスリーブ分割片を略円筒状に配置してなり、内周面に係合溝が設けられているスリーブを、径方向外方に拡張可能でかつ該スリーブケースから抜け出し不可能に設けるとともに、前記スリーブの外周には前記各スリーブ分割片を径方向内方に付勢する付勢部材を設け、
他方のプレキャストコンクリート部材にその接合面側に開口しているピンケースを設け、
前記ピンケースのピン収容部に、大径部と小径部とを備えたピンを、前記大径部が径方向に移動可能にかつ該ピンケースから抜け出し不可能に設けるとともに、前記小径部を前記他方のプレキャストコンクリート部材の接合面から突出させ、かつ前記小径部の先端部に前記スリーブの前記係合溝に係合可能な突条を設け、
前記ピンの前記小径部を前記スリーブ内に圧入し、前記突条を前記係合溝に係合させることを特徴とする接合方法。
【請求項５】
前記スリーブケースおよび前記ピンケースの開口側にはそれぞれ、前記スリーブおよび前記ピンの前記大径部が抜け出るのを規制する筒状の蓋が螺合されていることを特徴とする請求項４に記載の接合方法。
【請求項６】
前記スリーブケースと前記ピンケースとは、同一に構成されていることを特徴とする請求項４または請求項５に記載の接合方法。
【発明の詳細な説明】
【技術分野】
【０００１】
本発明は、暗渠または開渠を構築するためのボックスカルバートなどのプレキャストコンクリート部材同士を接合する際に適用するに好適な接合具および接合方法に関する。
【背景技術】
【０００２】
従来、この種のプレキャストコンクリート部材同士を接合する接合具としては、図８に示すようなスリーブ５１とピン５２とを組み合わせた接合具５０が知られている。
すなわち、一方のプレキャストコンクリート部材２Ａには、有底円筒状のケース５３が埋設され、このケース５３内にはスリーブ５１が収容され、スリーブ５１がケース５３から抜け出ないようにケース５３の開口部には蓋５４が螺着されている。このスリーブ５１は、複数個のスリーブ分割片５５が略円筒状に配置され、ケース５３の収容部５６内に径方向外方に拡張可能に設けられているとともに、外周には各スリーブ分割片５５を径方向内方に付勢するゴムリング５７が設けられ、内周面には周方向に延びる係合溝５８が形成されている。
【０００３】
また、他方のプレキャストコンクリート部材２Ｂには、有底円筒状のケース６１を埋設し、ケース６１にピン５２を螺着しておく。このピン５２の先端部には、周方向に延びる突条６２が複数形成されている。
【０００４】
そして、これらのプレキャストコンクリート部材２Ａ、２Ｂを互いに接合するには、ピン５２の先端部をプレキャストコンクリート部材２Ａのケース５３内に挿入した後、プレキャストコンクリート部材２Ａ、２Ｂを接近させて行き、接合面同士を当接させる。
【０００５】
そうすると、ピン５２の先端部がスリーブ５１内に圧入される。これにより、ピン５２の先端部が、ゴムリング５７の付勢力に抗してスリーブ５１を径方向外方に拡張しながら、スリーブ５１内を前進して行き、前進移動が終了した時点で、突条６２がスリーブ分割片５５の係合溝５８に係合されるとともに、ゴムリング５７により径方向内方に締め付けられる。
【発明の開示】
【発明が解決しようとする課題】
【０００６】
しかしながら、このような従来の接合具にあっては、ピン５２がプレキャストコンクリート部材２Ｂに螺着されているので、ピン５２とスリーブ５１との間に芯ずれがある場合には、ピン５２をスリーブ５１内に挿入できない。このため、プレキャストコンクリート部材２ａ、２Ｂに対するケース５３やピン５２の取付精度を高める必要があり、プレキャストコンクリート部材２ａ、２Ｂの製作コストが高くなるという問題がある。また、プレキャストコンクリート部材２ａ、２Ｂ同士を接合する際に、芯ずれが生じないようにする注意深く作業をする必要があり、接合作業に時間がかかるという問題がある。また、プレキャストコンクリート部材２ａ、２Ｂ同士を接合する際に、芯ずれが生じる現場においてはこの接合具を使用できないという問題がある。
【０００７】
本発明は、上記事情に鑑みて為されたもので、多少芯ずれが生じても用いることができるとともに、プレキャストコンクリート部材の製作コストを低減することができる接合具および接合方法を提供することを目的とする。
【課題を解決するための手段】
【０００８】
上記目的を達成するために、請求項１に記載の接合具は、プレキャストコンクリート部材同士を接合するための接合具であって、
一方のプレキャストコンクリート部材に設けられ、このプレキャストコンクリート部材の接合面側に開口しているスリーブケースと、
複数個のスリーブ分割片が略円筒状に配置され、前記スリーブケースのスリーブ収容部に径方向外方に拡張可能でかつ該スリーブケースから抜け出し不可能に設けられているとともに、外周には前記各スリーブ分割片を径方向内方に付勢する付勢部材が設けられ、内周面には係合溝が設けられているスリーブと、
他方のプレキャストコンクリート部材に設けられ、このプレキャストコンクリート部材の接合面側に開口しているピンケースと、
大径部と小径部とを備え、前記ピンケースのピン収容部に前記大径部が径方向に移動可能にかつ該ピンケースから抜け出し不可能に設けられているとともに、前記小径部が前記他方のプレキャストコンクリート部材の接合面から突出し、かつ前記小径部の先端部に前記スリーブの前記係合溝に係合可能な突条が設けられているピンと、
を備えていることを特徴とする。
【０００９】
請求項２に記載の接合具は、請求項１に記載の発明において、前記スリーブケースおよび前記ピンケースの開口側にはそれぞれ、前記スリーブおよび前記ピンの前記大径部が抜け出るのを規制する筒状の蓋が螺合されていることを特徴とする。
【００１０】
請求項３に記載の接合具は、請求項１または請求項２に記載の発明において、前記スリーブケースと前記ピンケースとは、同一に構成されていることを特徴とする。
【００１１】
請求項４に記載の接合方法は、プレキャストコンクリート部材同士を接合する接合方法であって、
一方のプレキャストコンクリート部材にその接合面側に開口しているスリーブケースを設け、このスリーブケースのスリーブ収容部に、複数個のスリーブ分割片を略円筒状に配置してなり、内周面に係合溝が設けられているスリーブを、径方向外方に拡張可能でかつ該スリーブケースから抜け出し不可能に設けるとともに、前記スリーブの外周には前記各スリーブ分割片を径方向内方に付勢する付勢部材を設け、
他方のプレキャストコンクリート部材にその接合面側に開口しているピンケースを設け、
前記ピンケースのピン収容部に、大径部と小径部とを備えたピンを、前記大径部が径方向に移動可能にかつ該ピンケースから抜け出し不可能に設けるとともに、前記小径部を前記他方のプレキャストコンクリート部材の接合面から突出させ、かつ前記小径部の先端部に前記スリーブの前記係合溝に係合可能な突条を設け、
前記ピンの前記小径部を前記スリーブ内に圧入し、前記突条を前記係合溝に係合させることを特徴とする。
【００１２】
請求項５に記載の接合方法は、請求項４に記載の発明において、前記スリーブケースおよび前記ピンケースの開口側にはそれぞれ、前記スリーブおよび前記ピンの前記大径部が抜け出るのを規制する筒状の蓋が螺合されていることを特徴とする。
【００１３】
請求項６に記載の接合方法は、請求項４または請求項５に記載の発明において、前記スリーブケースと前記ピンケースとは、同一に構成されていることを特徴とする。
【発明の効果】
【００１４】
請求項１に記載の接合具および請求項４に記載の接合方法によれば、ピンケースのピン収容部にピンの大径部が径方向に移動可能に設けられているので、ピンとスリーブとの間に多少の芯ずれがあっても、ピンをスリーブ内に圧入することができる。したがって、プレキャストコンクリート部材同士を接合する際に、ピンとスリーブとの間の多少芯ずれを許容して作業できるので、接合作業を迅速に行うことができる。また、プレキャストコンクリート部材に対するスリーブケースやピンケースの取付精度を緩和することができるので、プレキャストコンクリート部材の製作コストを低減することができる。さらに、プレキャストコンクリート部材同士を接合する際に、芯ずれが生じる現場においても、この接合具および接合方法を用いることができる。
【００１５】
請求項２に記載の接合具および請求項５に記載の接合方法によれば、スリーブケースおよびピンケースに蓋を螺合するようにしたので、プレキャストコンクリート部材同士を接合する前に、蓋を外して、スリーブ収納部およびピン収容部を掃除することができる。
【００１６】
請求項３に記載の接合具および請求項６に記載の接合方法によれば、スリーブケースとピンケースとを同一に構成したので、これらの製作コストを低減することができ、ひいてはこれらのスリーブケースあるいはピンケースを設けているプレキャストコンクリート部材の製作コストを低減することができる。
【発明を実施するための最良の形態】
【００１７】
以下、本発明の実施形態を図面に基づいて説明する。
本発明の実施形態に係る接合具１は、図１に示すように、暗渠または開渠を構築するためのボックスカルバートなどのプレキャストコンクリート部材２Ａ、２Ｂ同士を接合するものである。
【００１８】
図１に示すように、接合具１は、異形鉄筋（アンカー筋）３が設けられたケース５を備えている。図３に示すように、ケース５は、円筒状に形成されたもので、内側の中間部および両端部にそれぞれ、円柱状の収容部５ａおよび雌ねじ部５ｂ、５ｃが形成されている。後端部の雌ねじ部５ｂの内径は、収容部５ａの内径より小さく、前端部の雌ねじ部５ｃの内径は、収容部５ａの内径と同程度の大きさに設定されている。図１に示すように、ケース５の後端部の雌ねじ部５ｂに異形鉄筋３の一端部に形成された雄ねじ部３ｂが螺合している。この異形鉄筋３付きケース５は、プレキャストコンクリート部材２Ａ、２Ｂにそれぞれ埋設されている。
【００１９】
プレキャストコンクリート部材２Ａのケース５の収容部５ａ内には、スリーブ６が収容されている。図４に示すように、このスリーブ６は、両端部外周が少し大径の円筒を周方向に１２０°で３等分した円弧断面状の３個のスリーブ分割片６ａからなるもので、各スリーブ分割片６ａの内周面にはそれぞれ、周方向に延びる係合溝６ｂが複数形成されている。さらに、これらのスリーブ分割片６ａの外周にはゴムバンド（付勢部材）６Ｄが設けられており、このゴムバンド６Ｄにより各スリーブ分割片６ａがスリーブ６の径方向内方に付勢され、スリーブ６が円筒形状になっている。
【００２０】
また、図１に示すように、このケース５の開口側には、蓋７がプレキャストコンクリート部材２Ａの接合面とほぼ面一になるように装着され、これによりスリーブ６がケース５の開口側から抜け出ないようになっている。すなわち、図５に示すように、蓋７は、ほぼ円筒状の部材であって、鍔部７ａと雄ねじ部７ｂと備えている。そして、蓋７の雄ねじ部７ｂがケース５の前端部の雌ねじ部５ｃに螺合している。図１に示すように、スリーブ６の外径は、蓋７の内径より大きく、かつケース５の後端部の雌ねじ部５ｂの内径より大きく設定されている。そのため、スリーブ６は、蓋７の雄ねじ部７ｂの先端部と、ケース５の雌ねじ部５ｂ側の収容部５ａの側面（雌ねじ部５ｂと収容部５ａとの段差面）とによって前後から挟まれた状態となっており、スリーブ６がケース５の収容部５ａから抜け出ないようになっている。なお、スリーブ６の一部は、雌ねじ部５ｃの内側まで延びている。
【００２１】
また、スリーブ６の外径は、ケース５の収容部５ａの内径および雌ねじ部５ｃの内径よりも小さく設定されており、したがってスリーブ６の外周面と収容部５ａの内周面および雌ねじ部５ｃとの間には隙間があり、スリーブ６は、ゴムバンド６Ｄの付勢力に抗して径方向外方に拡張できるようになっている。
【００２２】
一方、プレキャストコンクリート部材２Ｂのケース５内には、ピン１４が挿入されている。図６に示すように、このピン１４は、円柱状の大径部１４ａと、この大径部１４ａから軸線を一致させて延びる円柱状の小径部１４ｂとを備えており、小径部１４ｂの先端部の外周面には、周方向に延びる突条１４ｃが複数形成されている。さらに、小径部１４ｂの先端にはテーパ面１４ｄが形成されている。図１に示すように、このピン１４は、大径部１４ａがケース５の収容部５ａ内に収容され、小径部１４ｂがプレキャストコンクリート部材２Ｂの接合面から外方に突出している。そして、蓋７の雄ねじ部７ｂがケース５の前端部の雌ねじ部５ｃに螺合されることにより、このケース５の開口側に蓋７がプレキャストコンクリート部材２Ｂの接合面とほぼ面一になるように装着され、これにより大径部１４ａがケース５の開口側から抜け出ないようになっている。大径部１４ａの外径は、蓋７の内径より大きく、かつケース５の後端部の雌ねじ部５ｂの内径より大きく設定されている。そのため、大径部１４ａは、蓋７の雄ねじ部７ｂの先端部と、ケース５の雌ねじ部５ｂ側の収容部５ａの側面（雌ねじ部５ｂと収容部５ａとの段差面）とによって前後から挟まれた状態となっており、大径部１４ａがケース５の収容部５ａから抜け出ないようになっている。なお、大径部１４ａの一部は、雌ねじ部５ｃの内側まで延びている。
【００２３】
そして、プレキャストコンクリート部材２Ｂの接合面から外方に突出している小径部１４ｂが、プレキャストコンクリート部材２Ａのケース５内に挿入され、先端部の突条１４ｃがスリーブ６の係合溝６ｂに係合される。
【００２４】
このように構成された接合具１を用いてプレキャストコンクリート部材２Ａ、２Ｂ同士を接合するには、まず、一方のプレキャストコンクリート部材２Ａに埋設されたケース５にスリーブ６を挿入し、収納部５ａにスリーブ６を収納した後、蓋７をケース５に装着して、スリーブ６が収納部５ａから抜け出ないようにする。また、他方のプレキャストコンクリート部材２Ｂに埋設されたケース５にピン１４を挿入し、収納部５ａに大径部１４ａを位置させた後、蓋７をケース５に装着して、大径部１４ａが収納部５ａから抜け出ないようにする。
【００２５】
次いで、ピン１４の小径部１４ｂをプレキャストコンクリート部材２Ａのケース５内に挿入した後、プレキャストコンクリート部材２Ａ、２Ｂを接近させて行き、接合面同士を当接させる。
【００２６】
そうすると、ピン１４の大径部１４ａの後端面がケース５の雌ねじ部５ｂ側の収容部５ａの側面（雌ねじ部５ｂと収容部５ａとの段差面）により押されて、ピン１４の小径部１４ｂがスリーブ６内に圧入される。これにより、小径部１４ｂの先端部が、ゴムバンド６Ｄの付勢力に抗してスリーブ６を径方向外方に拡張しながら、スリーブ６内を前進して行き、前進移動が終了した時点で、突条１４ｃがスリーブ分割片６ａの係合溝６ｂに係合されるとともに、ゴムバンド６Ｄにより径方向内方に締め付けられる。なお、ピン１４の前進時に、スリーブ６（各スリーブ分割片６ａ）はピン１４により雌ねじ部５ｂ側に押されるが、スリーブ６の雌ねじ部５ｂ側の端面がケース５の雌ねじ部５ｂ側の収容部５ａの側面（雌ねじ部５ｂと収容部５ａとの段差面）に当接し、スリーブ６の移動が規制される。
【００２７】
このようにしてピン１４の突状１４ｃがスリーブ６の係合溝６ｂに係合されると、ピン１４は、スリーブ６に対して蓋７側に移動できなくなり、これによりプレキャストコンクリート部材２Ａ、２Ｂ同士が互いに接合される。なお、ピン１４が蓋７側に移動しようとすると、スリーブ６がピン１４とともに移動しようとするが、スリーブ６の雌ねじ部５ｃ側の端面がケース５の雌ねじ部５ｃ側の収容部５ａの側面（雌ねじ部５ｃと収容部５ａとの段差面）に当接し、スリーブ６の移動が規制される。
【００２８】
このような接合具１およびこの接合具１を用いた接合方法にあっては、ピンケース５のピン収容部５ａにピン１４の大径部１４ａが径方向に移動可能に設けられているので、ピン１４とスリーブ６との間に多少の芯ずれがあっても、ピン１４をスリーブ６内に圧入することができる。したがって、プレキャストコンクリート部材２Ａ、２Ｂ同士を接合する際に、ピン１４とスリーブ６との間の多少芯ずれを気にすることなく作業できるので、接合作業を迅速に行うことができる。また、プレキャストコンクリート部材２Ａ、２Ｂに対するスリーブケース５やピンケース５の取付精度を緩和することができるので、プレキャストコンクリート部材２Ａ、２Ｂの製作コストを低減することができる。また、プレキャストコンクリート部材２Ａ、２Ｂ同士を接合する際に、曲がり部などを構築するために芯ずれを生じる現場においても、この接合具１および接合方法を用いることができる。
【００２９】
また、スリーブケース５およびピンケース５に蓋７を螺合するようにしたので、プレキャストコンクリート部材２Ａ、２Ｂ同士を接合する前に、蓋７を外して、スリーブ収納部５ａおよびピン収容部５ａを掃除することができる。
さらに、スリーブケース５とピンケース５とを同一に構成したので、これらの製作コストを低減することができ、ひいてはこれらのスリーブケース５あるいはピンケース５を埋設しているプレキャストコンクリート部材２Ａ、２Ｂの製作コストを低減することができる。加えて、スリーブケース５およびピンケース５にそれぞれ螺合する蓋７も同一に構成したので、スリーブケース５とピンケース５との間で装着する蓋７を取り違えることがない。
【００３０】
なお、上述の実施形態においては、スリーブ６を１２０°で３等分されたスリーブ分割片６ａにより構成したが、必ずしも３等分されている必要はなく、例えば、１８０°、９０°、９０°で３分割されたスリーブ分割片を用いてもよい。また、３分割の代わりに２分割や４分割されたスリーブ分割片などを採用することも可能である。
【００３１】
また、上述の実施形態においては、付勢部材としてゴムバンド６Ｄを用いる場合について説明したが、本発明はこれに限らず、付勢部材は各スリーブ分割片６ａを径方向内方に付勢するものであればよく、例えば、ゴムや合成樹脂等の弾性材からなるリング状の部材、コイルばね等のばね部材、または環状でないＣ字状等のばね部材などを適宜、用いることができる。
【００３２】
また、上述の実施形態においては、スリーブケース５とピンケース５とを同一に構成したが、これらは違う構成にしてもよい。また、スリーブケース５、ピンケース５に蓋７を螺合するようにしたが、これに代えて、例えば、スリーブケース５、ピンケース５に蓋７を溶接等により固着するようにしてもよいし、さらには、蓋７を設けずに、スリーブ６やピン１４の大径部１４ａを抜け出し不可能スリーブケース、ピンケースに構成してもよい。
【図面の簡単な説明】
【００３３】
【図１】本発明の実施の形態に係る接合具の使用状態を示す断面図である。
【図２】異形鉄筋の側面図である。
【図３】ケースを示す図であって、上半分を断面で示す側面図である。
【図４】スリーブを示す図であって、（ａ）は上半分を断面で示す側面図であり、（ｂ）は（ａ）の右側面図である。
【図５】蓋を示す図であって、（ａ）は正面図であり、（ｂ）は（ａ）のＡ−Ａ線に沿う断面図である。
【図６】ピンを示す側面図である。
【図７】本発明の実施の形態に係る接合具の他の使用状態を示す断面図である。
【図８】従来の接合具の使用状態を示す断面図である。
【符号の説明】
【００３４】
１    接合具
２Ａ    一方のプレキャストコンクリート部材
２Ｂ    他方のプレキャストコンクリート部材
５    スリーブケース、ピンケース
５ａ    スリーブ収容部、ピン収容部
６    スリーブ
６ａ    スリーブ分割片
６ｂ    係合溝
６Ｄ    ゴムバンド（付勢部材）
７    蓋
１４    ピン
１４ａ    大径部
１４ｂ    小径部
１４ｃ    突条
【図１】
2006336234.tif 000003
【図２】
2006336234.tif 000004
【図３】
2006336234.tif 000005
【図４】
2006336234.tif 000006
【図５】
2006336234.tif 000007
【図６】
2006336234.tif 000008
【図７】
2006336234.tif 000009
【図８】
2006336234.tif 000010